(57)【要約】【課題】容器からの取り外し行為が行われたときには、それを明確に認識することができる、安全性の高い注出栓を提供する。【解決手段】本発明は、容器口部を取り囲む周壁３を有し、この周壁３の内周面に設けた突起を容器口部の外周面に設けた係合突部に嵌合させることで、容器口部からの取り外しが可能な本体２と、この本体２に対して着脱可能な蓋体７ａを有し、蓋体７ａの下端に、本体周壁３を取り囲む筒状部７ｂが、連結部７ｃを介して設けられた蓋部材７とを備える注出栓１であって、  周壁３に、容器口部からの取り外しによって、当該周壁３を、その下端３ｅから突起の上端にかけて切断すると共に当該突起の上端から周方向に沿って帯状に切断する切断予定線５（５ａ，５ｂ）を設けた。【選択図】図４
2010126226.tif 000002
【特許請求の範囲】
【請求項１】
容器口部を取り囲む周壁を有し、この周壁の内周面に設けた突起を容器口部の外周面に設けた係合突部に嵌合させることで、容器口部からの取り外しが可能な本体と、この本体に対して着脱可能な蓋体を有し、この蓋体の下端に、本体の周壁を取り囲む筒状部が設けられた蓋部材とを備える注出栓であって、
本体の周壁に、容器口部からの取り外しによって、当該周壁をその下端から前記突起にかけて切断すると共に当該切断部から周方向に沿って帯状に切断する切断予定線を設けたことを特徴とする注出栓。
【発明の詳細な説明】
【技術分野】
【０００１】
本発明は、容器からの分別廃棄が可能な注出栓であって、その取り外し操作を視認させるための技術に関するものである。
【背景技術】
【０００２】
注出栓の取り外しを視認させる従来の技術には、注出栓に取り付けられる蓋体の下端に係止筒を分離可能に連結し、この係止筒を保護部材とすることによって、注出栓がその下端からこじ開けられることを防止するものがある（例えば、特許文献１参照）。
【特許文献１】特開２００３−２４６３３８号公報
【発明の開示】
【発明が解決しようとする課題】
【０００３】
しかしながら、こうした従来の技術は、キャップの存在が必須であるため、キャップが開封されてしまった後には、注出栓に対する取り外し行為を認識することができなかった。
【０００４】
本発明の目的とするところは、容器からの取り外し行為が行われたときには、それを明確に認識することができる、安全性の高い注出栓を提供することにある。
【課題を解決するための手段】
【０００５】
本発明は、容器口部を取り囲む周壁を有し、この周壁の内周面に設けた突起を容器口部の外周面に設けた係合突部に嵌合させることで、容器口部からの取り外しが可能な本体と、この本体に対して着脱可能な蓋体を有し、この蓋体の下端に、本体の周壁を取り囲む筒状部が設けられた蓋部材とを備える注出栓であって、
本体の周壁に、容器口部からの取り外しによって、当該周壁をその下端から前記突起にかけて切断すると共に当該切断部から周方向に沿って帯状に切断する切断予定線を設けたことを特徴とするものである。
【０００６】
切断予定線は、容器口部からの取り外しに伴い切断される構成のものであれば、様々な形態のものを適用できる。こうした切断予定線としては、例えば、薄肉部で形作られたものや、破断可能な複数の切り込みで形作られたもの、或いは、スリット等で形作られた予め隙間をなす分離線を、破断可能な連結片によって間欠的に連結したものが挙げられる。
【発明の効果】
【０００７】
本発明では、容器口部からの取り外しによって、当該周壁をその下端から前記突起にかけて切断すると共に当該切断部から周方向に沿って帯状に切断することで、注出栓をこじる等して取り外そうとすれば、その痕跡が周壁の外観形状として現れる。このため、注出栓に対して取り外し行為が行われた場合には、蓋部材７の有無に関係なく、周壁の外観形状から当該行為が行われたかどうかを明確に認識することができる。
【０００８】
従って、本発明によれば、容器からの取り外し行為が行われたときには、それを明確に認識することができる、安全性の高い注出栓を提供することができる。
【発明を実施するための最良の形態】
【０００９】
以下、図面を参照して、本発明である注出栓を詳細に説明する。
【００１０】
図１は、本発明の一形態である注出栓１を示す分解斜視図であり、図２は、注出栓１を一部断面で示す要部側面図である。また、図３は、同注出栓に対して容器からの取り外し操作を行ったときの作用を示す要部斜視図であり、更に、図４は、同注出栓に対して取り外し操作を行った後の状態を示す要部斜視図である。
【００１１】
符号２は、図１に示すように、容器口部２１の上側に配置される天壁２と、この天壁２の外縁から垂下して容器口部２１の外周面を取り囲む周壁３とを有する本体である。
【００１２】
天壁２には、注出筒２ａが一体に起立し、その内側には、プルリング２ｂを一体に備える封止栓２ｃが設けられている。封止栓２ｃは、注出筒２ａの内側に、プルリング２ｂの引き上げより破断可能な薄肉部２ｄを介して一体に繋がる。これにより、プルリング２ｂを利用して封止栓２ｃを引き上げると、薄肉部２ｄが切断されることで、注出筒２ａの内側には、容器２０の内側に通じる注出口が形成される。
【００１３】
周壁３の内周面３ａには、図２に示すように、軸線Ｏ周りに環状の突起４が設けられている。これに対し、容器口部２１の外周面には、係合突部２２が設けられている。これにより、注出栓１は、その突起４の上端（以下、「突起上端」という）４ａを、容器口部２１に設けた係合突部２２の下端２２ａに嵌合させることで、容器口部２１に固定される。
【００１４】
また、周壁３には、容器口部２１からの取り外しによって、当該周壁３を、その下端（以下、「周壁下端」という）３ｅから突起上端４ａにかけて切断すると共に当該突起上端４ａから周方向に沿って帯状に切断する切断予定線５が設けられている。
【００１５】
切断予定線５は、容器口部２１からの取り外しによって、当該周壁３をその下端３ｅから突起上端４ａにかけて切断する第１の切断予定線５ａと、この切断予定線５ａに繋がり、当該突起上端４ａから周方向に沿って延在する第２の切断予定線５ｂとからなる。
【００１６】
本形態では、第１の切断予定線５ａから周方向に延びる第２の切断予定線５ｂを、周壁３の全周に亘って設けることなく、切断されない領域６を残している。このため、本形態では、切断予定線５が帯状に切断されても、当該領域６が連結部となることで、図４に示すように、帯状に切断された突起４が周壁３から完全に分離されることはない。
【００１７】
なお、本形態の切断予定線５は、図２に示すように、周壁３のうち、突起４側の外周面３ａを当該突起４に向かって楔状に窪ませて凹部３ｎを形成することで、容器口部２１からの取り外しによって破断可能な薄肉部としてなるが、これに限定されるものではない。
【００１８】
符号７は、注出栓１を取り付けられる蓋部材である。蓋部材７は、注出筒２ａの外周に着脱可能に螺合し天壁２を開閉する蓋体７ａと、この蓋体７ａの下側に配置され、周壁３の外周面３ａに形成された凹部３ｎに嵌合する開封表示用の筒状体７ｂとを有し、この筒状部７ｂの周方向に沿って断続的に設けられた連結部７ｃを介して蓋体７ａの下端に連結している。連結部７ｃは、蓋体７ａを注出栓１から取り外すに伴い切断することができる。これにより、蓋体７ａに対して開封操作が行われたかどうかを確認することができる。
【００１９】
本発明では、容器口部２１からの取り外しによって、周壁３を、その下端３ｅから突起上端４ａにかけて切断すると共に当該突起上端４ａから周方向に沿って帯状に切断することで、当該周壁３の一部に帯状の連結片３ｃが形成されるため、本体２と蓋部材７とからなる注出栓１を、周壁下端３ｅから、こじる等して取り外そうとすれば、その痕跡が帯状の連結片３ｃという外観形状として現れる。このため、注出栓１に対して取り外し行為が行われた場合には、蓋部材７の有無に関係なく、周壁３の外観形状から当該行為が行われたかどうかを明確に認識することができる。
【００２０】
従って、本発明によれば、容器２０からの取り外し行為が行われたときには、それを明確に認識することができる、安全性の高い注出栓を提供することができる。
【００２１】
上述したところは、本発明の好適な形態をしたものであるが、特許請求の範囲において、種々の変更を加えることができる。例えば、切断予定線５ａ，５ｂのレイアウトは、必ずしも、本形態のように規定する必要は無い。また、本発明に従う蓋部材は、蓋体に筒状部を連結するに際し、当該筒状部を分離不能に連結することもできる。
【図面の簡単な説明】
【００２２】
【図１】本発明の一形態である注出栓と、その蓋体とを示す分解斜視図である。
【図２】注出栓を蓋体と共に容器口部に装着した状態を一部断面で示す要部側面図である。
【図３】同注出栓に対して容器からの取り外し操作を行ったときの作用を示す要部斜視図である。
【図４】同注出栓に対して取り外し操作を行った後の状態を示す要部斜視図である。
【符号の説明】
【００２３】
１    注出栓
２    天壁
２ａ  注出筒
２ｂ  プルリング
２ｃ  封止栓
２ｄ  薄肉部
３    周壁
３ａ  周壁下端
４    嵌合突起
５    切断予定線
６    連結部
７    蓋部材
７ａ  蓋体
７ｂ  筒状部
２０  容器
２１  容器口部
【図１】
2010126226.tif 000003
【図２】
2010126226.tif 000004
【図３】
2010126226.tif 000005
【図４】
2010126226.tif 000006